(57)【要約】      （修正有）【課題】ホットパック式ピーリング美容器を提供する。【解決手段】ピーリング美容器の金属材料の快適感が悪く、洗浄効果に影響を及ぼすという問題を解決し、ホットパック式ピーリング美容器は下部シェル、上部シェル２、背面固定シリコン、発熱フィルム、ＰＣＢメインボード、リチウム電池、超音波ショベル１０、超音波発生器及びシース１３を含む。下部シェル及び上部シェルはシェル構造を構成し、リチウム電池及びＰＣＢメインボードは下部シェルに取付けられ、超音波発生器は背面固定シリコンを介してＰＣＢメインボードに取付けられ、超音波ショベルは前面固定シリコンを介して超音波発生器に固定され、発熱フィルムは超音波ショベルに貼付けられ、シースは下部シェルと上部シェルで構成されるシェル構造に取付けられ、超音波ショベルの保護に用いられ、発熱フィルムを使用して超音波ショベルを加熱する。【選択図】図１
0003224855.tif 000002
【実用新案登録請求の範囲】
【請求項１】
下部シェル（１）、上部シェル（２）、光線療法ボード（３）、背面固定シリコン（４）、ＰＣＢメインボード（６）、固定ボルト（７）、電極ハンドル（８）、リチウム電池（９）、超音波ショベル（１０）、超音波発生器（１１）、前面固定シリコン（１２）及びシース（１３）を含むホットパック式ピーリング美容器であって、
前記下部シェル（１）と上部シェル（２）で構成されるホットパック式ピーリング美容器のシェル構造を有するホットパック式ピーリング美容器において、
リチウム電池（９）及びＰＣＢメインボード（６）は下部シェル（１）に取り付けられ、超音波発生器（１１）は背面固定シリコン（４）を介してＰＣＢメインボード（６）に取り付けられ、超音波ショベル（１０）は前面固定シリコン（１２）を介して超音波発生器（１１）に固定され、電極ハンドル（８）は固定ボルト（７）によってＰＣＢメインボード（６）に取り付けられ、リチウム電池（９）は電極ハンドル（８）を介してＰＣＢメインボード（６）に接続され、シース（１３）は下部シェル（１）と上部シェル（２）で構成されるシェル構造に取り付けられ、光線療法ボード（３）は前面固定シリコン（１２）に取り付けられ、回路を介してＰＣＢメインボード（６）に接続されることを特徴とするホットパック式ピーリング美容器。
【請求項２】
前記超音波ショベル（１０）に発熱フィルム（５）が設けられ、発熱フィルム（５）は超音波ショベル（１０）に貼り付けられ、発熱フィルム（５）は回路を介してＰＣＢメインボード（６）に接続されることを特徴とする請求項１に記載のホットパック式ピーリング美容器。
【請求項３】
前記超音波ショベル（１０）の前端は、水平面に対して１５°の角度まで傾けられることを特徴とする請求項２に記載のホットパック式ピーリング美容器。
【請求項４】
前記超音波ショベル（１０）の形状は台形であることを特徴とする請求項３に記載のホットパック式ピーリング美容器。
【請求項５】
前記シース（１３）に装飾ストリップ（１４）が設けられることを特徴とする請求項４に記載のホットパック式ピーリング美容器。
【考案の詳細な説明】
【技術分野】
【０００１】
本考案は、クリーンスキンケアの分野に関し、特にホットパック式ピーリング美容器に関する。
【背景技術】
【０００２】
ピーリング美容器は、高周波振動と超音波振動によって毛穴内の不純物を粉砕させてから排出し、皮膚を洗浄する機能を実現し、現在、市販のピーリング美容器の振動部材は基本的に金属材料を採用する。金属材料の熱伝導率が高いため、金属材料は、皮膚に直接接触した後、皮膚に不快感を与えやすく、使用者における筋肉の硬直や毛穴の収縮を促し、ピーリング過程において、ピーリング美容器はそれらの毛穴内の不純物を粉砕させてから排出する必要がある。毛穴が収縮すると、不純物が毛穴に残り、排出できなくなり、一定期間の代謝の後、不純物は再凝集し、皮膚の不純物を洗浄するという目的を達成できない。
【０００３】
従って、上記の問題を解決するためにホットパック式ピーリング美容器を提供する。
【考案の概要】
【考案が解決しようとする課題】
【０００４】
本考案は、既存のピーリング美容器の金属材料の快適感が悪く、洗浄効果に影響を及ぼすという問題を解決するために、上記の欠陥を解決するためのホットパック式ピーリング美容器を提供する。
【課題を解決するための手段】
【０００５】
上記の目的を達成するために、本考案は以下の技術的解決手段を提供する。
【０００６】
ピーリング美容器であって、下部シェル、上部シェル、光線療法ボード、背面固定シリコン、ＰＣＢメインボード、固定ボルト、電極ハンドル、リチウム電池、超音波ショベル、超音波発生器、前面固定シリコン及びシースを含み、前記下部シェル及び上部シェルはホットパック式ピーリング美容器のシェル構造を構成し、リチウム電池及びＰＣＢメインボードは下部シェルに取り付けられ、超音波発生器は背面固定シリコンを介してＰＣＢメインボードに取り付けられ、超音波ショベルは前面固定シリコンを介して超音波発生器に固定され、電極ハンドルは固定ボルトによってＰＣＢメインボードに取り付けられ、リチウム電池は電極ハンドルを介してＰＣＢメインボードに接続され、シースは下部シェルと上部シェルで構成されるシェル構造に取り付けられ、光線療法ボードは前面固定シリコンに取り付けられ、回路を介してＰＣＢメインボードに接続される。
【０００７】
本考案のさらなる態様として、前記超音波ショベルに発熱フィルムが設けられ、発熱フィルムは超音波ショベルに貼り付けられ、発熱フィルムは回路を介してＰＣＢメインボードに接続される。
【０００８】
本考案のさらなる態様として、前記超音波ショベルの前端は、水平面に対して１５°の角度まで傾けられる。
【０００９】
本考案のさらなる態様として、前記超音波ショベルの形状は台形である。
【００１０】
本考案のさらなる態様として、前記シースに装飾ストリップが設けられる。
【考案の効果】
【００１１】
要約すると、本考案は従来技術と比べると、以下の有益な効果を有する。
ホットパック式ピーリング美容器は、発熱フィルムを設置することにより超音波ショベルを加熱し、超音波ショベルの温度を上げ、超音波ショベルの金属材料の冷たい性質を変え、使用者の不快感を軽減し、それにより洗浄効果を改善するという目的を達成する。
【図面の簡単な説明】
【００１２】
【図１】本考案の構造を示す模式図である。
【図２】本考案の正面図である。
【図３】本考案の右側面図である
【図４】本考案の構造分解を示す模式図である。
【図５】本考案の内部構造を示す模式図である。
【考案を実施するための形態】
【００１３】
以下、本考案の実施例の図面を参照して、本考案の実施例における技術的解決手段について明確且つ完全に説明する。説明した実施例は本考案の実施例の一部に過ぎず、実施例のすべてではなく、本考案の実施例に基づき、創造的な努力なしに当業者によって得られる他のすべての実施例は、本考案の保護範囲に属すると理解されたい。
【００１４】
図１−図５に示すように、ピーリング美容器は、下部シェル１、上部シェル２、光線療法ボード３、背面固定シリコン４、発熱フィルム５、ＰＣＢメインボード６、固定ボルト７、電極ハンドル８、リチウム電池９、超音波ショベル１０、超音波発生器１１、前面固定シリコン１２及びシース１３を含む。下部シェル１及び上部シェル２はホットパック式ピーリング美容器のシェル構造を構成する。リチウム電池９及びＰＣＢメインボード６は下部シェル１に取り付けられる。超音波発生器１１は背面固定シリコン４を介してＰＣＢメインボード６に取り付けられる。台形の超音波ショベル１０は前面固定シリコン１２を介して超音波発生器１１に固定される。電極ハンドル８は固定ボルト７によってＰＣＢメインボード６に取り付けられる。リチウム電池９は電極ハンドル８を介してＰＣＢメインボード６に接続される。ＰＣＢメインボード６に電力を提供するために用いられ、装飾ストリップ１４が設けられたシース１３は下部シェル１と上部シェル２で構成されるシェル構造に取り付けられ、内部の超音波ショベル１０を保護するために用いられる。
【００１５】
図５に示すように、超音波ショベル１０の前端は、水平面に対して１５°の角度まで傾けられ、発熱フィルム５は超音波ショベル１０に貼り付けられ、発熱フィルム５は回路を介してＰＣＢメインボード６に接続される。発熱フィルム５は、ＰＣＢメインボード６の制御下で熱エネルギーを発生し、超音波ショベル１０が発熱できるように熱エネルギーを金属材料の超音波ショベル１０に伝達し、使用者に快適感を与え、冷たい金属を効果的に回避できる。光線療法ボード３は前面固定シリコン１２に取り付けられ、回路を介してＰＣＢメインボード６に接続される。
【００１６】
要約すると、本考案の動作原理は以下のとおりである。ピーリング美容器は、発熱フィルム５を、超音波高周波発振機能を有する超音波ショベル１０に貼り付け、発熱フィルム５は電気エネルギーを熱エネルギーに変換して超音波ショベル１０に伝達し、超音波ショベル１０自体の熱伝導特性作用端が使用部位に作用することにより温熱効果を持たせ、使用者がより快適に使え、金属材料の冷たい特性を改善する。
【００１７】
本考案の実施例を既に示して説明したが、当業者にとって、本考案の趣旨及び原則を逸脱せずにこれらの実施例を様々に変更、修正、置換、及び変形することができ、本考案の範囲は、添付の実用新案登録請求の範囲及びそれらの同等物によって定義されると理解されたい。
【符号の説明】
【００１８】
１…下部シェル、２…上部シェル、３…光線療法ボード、４…背面固定シリコン、５…発熱フィルム、６…ＰＣＢメインボード、７…固定ボルト、８…電極ハンドル、９…リチウム電池、１０…超音波ショベル、１１…超音波発生器、１２…前面固定シリコン、１３…シース、１４…装飾ストリップ。
【図１】
0003224855.tif 000003
【図２】
0003224855.tif 000004
【図３】
0003224855.tif 000005
【図４】
0003224855.tif 000006
【図５】
0003224855.tif 000007